(57)【特許請求の範囲】
【請求項１】
採血指示情報に基づいて採血管を選択し、当該採血管に患者情報や採血指示情報の必要データを印字したラベルを貼り付けて準備する採血管準備装置において、採血管準備装置の本体上部側の正面における左右側面寄りの位置に取り付けられた二つの採血情報ディスプレイと、前記採血管準備装置の上端面の背面側にあって待合室側へ向けて取り付けられた患者の呼出表示装置とを備えて成り、装置本体中間部の手前側にラベル貼着後の採血管を受け取るためのトレイ取出し部が形成されていることを特徴とするリアルタイム採血管準備装置。    
【請求項２】
採血管準備装置の本体上部側の正面における左右側面寄りの位置に取り付けられた二つの採血情報ディスプレイのいずれかの採血発行ボタンが採血作業者によって押されて採血管発行要求があると、制御装置が病院システムの電子カルテのデータベースから最も先に採血受付がなされた未発行の患者のＩＤとこれに紐付けされた採血検査情報とを採血管準備装置に出力して採血管を患者ごとのトレイへ排出して準備し、また制御装置は前記採血管の発行要求と同時に患者呼出表示装置に患者呼出番号を表示し、前記トレイ内の採血管の患者ＩＤと、診察券やリストバンドや採血受付票に記載された患者ＩＤとを照合し、一致していれば採血作業者は採血を行うようにし、採血管の発行要求と、採血管の準備と、患者の呼出表示とを同時に行うようにしたことを特徴とするリアルタイム採血方法。    
【請求項３】
採血指示情報に基づいて採血管を選択し、当該採血管に患者情報や採血指示情報の必要データを印字したラベルを貼り付けて準備する採血管準備装置と、採血管準備装置の両サイドに設置された採血作業台と、採血管準備装置の本体上部側の正面における左右側面寄りの位置に自在継手を介して角度調節自在に取り付けられた二つの採血情報ディスプレイと、前記採血管準備装置の上端面の背面側にあって待合室側へ向けられた患者の呼出表示装置と、病院システムの電子カルテのデータベースに接続された制御装置と、該制御装置に接続された採血受付装置とから成り、前記制御装置は前記採血情報ディスプレイを通じて採血管の発行要求があったとき、前記採血受付装置に受け付けられた先頭の患者情報を採血管準備装置へ送信すると共に、患者の呼出表示装置へ患者の呼出を指示するようにしたことを特徴とするリアルタイム採血管準備システム。 
【発明の詳細な説明】
【技術分野】
【０００１】
本発明は、採血作業者からの要求に応じて採血管準備装置が現時点で最も先に受け付けを行った患者の採血管を準備し、これに基づいて該当する患者を呼出表示し、採血作業者は準備されたばかりの採血管と到着した患者とを照合し、一致していれば採血を始めるようにしたリアルタイムで採血管を準備し、採血する方法及び装置並びにシステムに関するものである。
【背景技術】
【０００２】
採血作業にあっては、医師が自らのパソコン端末へ当該患者の検査採血情報を入力すると、自動的に電子カルテシステムのデータベースへ登録される。一方、採血室では、患者の採血受付を行い、これを検査システムの採血管準備装置に反映させている。採血管準備装置では、前記データベースから当該受付患者の患者情報を取得し、患者の検査に必要な採血管を検査項目別に選択して取り出している。そして、患者ＩＤ等の情報を印字した識別ラベルを各採血管へ貼付して、患者別にトレイへ収納し、採血室の採血作業現場へ順次搬出している。
【０００３】
採血作業現場では、搬送されて来たトレイの患者に関する情報を、トレイに貼付された識別ラベルやトレイに入れられた採血指示書、または採血管に貼付された識別ラベルから読み取り、これを表示装置に表示して患者を呼び出し、採血するようにしている。
【０００４】
特許文献１は、このような従来の採血管準備システムを示すものである。特許文献１にも示されているように、従来の技術では、採血管準備装置は受付順番通りに各患者の採血管を一つのトレイへ準備し、順次各患者ごとのトレイをストックしている。そして、採血作業者からの要求に応じて先頭のトレイを、当該要求した採血作業者が居る採血台へ搬送供給するようにしている。
なお、この特許文献１では、採血患者の現在の待ち人数と、呼び出した患者が不在であるときの不在表示とを行うことができるようにしてある。
【先行技術文献】
【特許文献】
【０００５】
【特許文献１】特許第４４６９４４０号公報
【発明の概要】
【発明が解決しようとする課題】
【０００６】
このように、従来の採血管準備システムでは、採血管準備装置は受付順番通りにトレイに各患者の採血管を準備し、ストックして準備している。採血作業者は、採血管準備装置に対してストックされたトレイの供給を要求するのみである。
ところで、採血管準備装置が複数台あった場合、採血受付装置（最近は、自動受付が行われている）は、各採血管準備装置に受け付けを行った患者の採血管発行データを均等になるように振り分けている。ところが、採血作業者によっては、その熟練度等により採血作業時間にバラツキを伴っており、不慣れな採血作業者が担当する採血管準備装置に振り分けられた患者は、採血受付順番が先であるにも拘わらず、呼出表示が後になり、患者間で不公平が生じるという問題があった。
【０００７】
また採血管準備装置が一台の場合であっても、採血管準備装置で採血管の発行がなされてストックされているトレイは多数あり、採血作業者が順番通りにトレイを取らなかった場合があり、順番待ちに不公平が生じるという問題があった。
また採血作業者がそのトレイの中からラベル貼着状態の確認や何らかの理由で採血管を取り出したときには、違うトレイへ採血管を戻す恐れがあり、医療ミスに繋がる危険性があった。
【０００８】
更に、特許文献１のように、採血管準備装置と採血作業台との間にトレイの搬送装置を配設し、自動搬送するシステムも開発されているが、供給ラインが一系統だけであるので、結果としてトレイの受け取りに時間がかかり、作業効率が悪くなるという問題と、搬送装置の設備に膨大な費用がかかるという問題があり、実用的ではなかった。
そのため、現実としては採血作業者が採血管準備装置のところまで出かけてトレイを取りに行き、採血後は採血管準備装置へトレイを返却しなければならないという移動の手間がかかり、やはり作業効率が悪くなるという問題があった。
【０００９】
本発明は従来の前記問題点に鑑みてこれを改良除去したものであって、採血作業者が採血管準備装置へ採血管の発行準備を要求し、またそれと略同時に患者を呼出表示し、採血管が準備されると同時に採血者を照合して採血をリアルタイムで実施することのできる採血方法及び採血管準備システムを提供せんとするものである。
【課題を解決するための手段】
【００１０】
前記課題を解決するために本発明が採用した請求項１の手段は、
採血指示情報に基づいて採血管を選択し、当該採血管に患者情報や採血指示情報等の必要データを印字したラベルを貼り付けて準備する採血管準備装置において、採血管準備装置の本体上部側の正面における左右側面寄りの位置に取り付けられた二つの採血情報ディスプレイと、前記採血管準備装置の上端面の背面側にあって待合室側へ向けて取り付けられた患者の呼出表示装置とを備えて成り、装置本体中間部の手前側にラベル貼着後の採血管を受け取るためのトレイ取出し部が形成されていることを特徴とするリアルタイム採血管準備装置である。
【００１１】
前記課題を解決するために本発明が採用した請求項２の手段は、採血管準備装置の本体上部側の正面における左右側面寄りの位置に取り付けられた二つの採血情報ディスプレイのいずれかの採血発行ボタンが採血作業者によって押されて採血管発行要求があると、制御装置が病院システムの電子カルテのデータベースから最も先に採血受付がなされた未発行の患者のＩＤとこれに紐付けされた採血検査情報とを採血管準備装置に出力して採血管を患者ごとのトレイへ排出して準備し、また制御装置は前記採血管の発行要求と同時に患者呼出表示装置に患者呼出番号を表示し、前記トレイ内の採血管の患者ＩＤと、診察券やリストバンドや採血受付票に記載された患者ＩＤとを照合し、一致していれば採血作業者は採血を行うようにし、採血管の発行要求と、採血管の準備と、患者の呼出表示とを同時に行うようにしたことを特徴とするリアルタイム採血方法である。 
【００１２】
また前記課題を解決するために本発明が採用した請求項３の手段は、採血指示情報に基づいて採血管を選択し、当該採血管に患者情報や採血指示情報等の必要データを印字したラベルを貼り付けて準備する採血管準備装置と、採血管準備装置の両サイドに設置された採血作業台と、採血管準備装置の本体上部側の正面における左右側面寄りの位置に自在継手を介して角度調節自在に取り付けられた二つの採血情報ディスプレイと、前記採血管準備装置の上端面の背面側にあって待合室側へ向けられた患者の呼出表示装置と、病院システムの電子カルテのデータベースに接続された制御装置と、該制御装置に接続された採血受付装置とから成り、前記制御装置は前記採血情報ディスプレイを通じて採血管の発行要求があったとき、前記採血受付装置に受け付けられた先頭の患者情報を採血管準備装置へ送信すると共に、患者の呼出表示装置へ患者の呼出を指示するようにしたことを特徴とするリアルタイム採血管準備システムである。
【発明の効果】
【００１３】
請求項１の採血管準備装置の発明にあっては、採血管準備装置自体が患者の呼出表示装置と、左右の二人の採血作業者が操作する採血情報ディスプレイとが搭載されている。従って、この装置を設置し、その両隣に単なる机を配置するだけで、患者の呼出表示装置を備えた採血システムを構築することができ、また採血管の発行要求と同時に当該患者の採血管の準備と、患者の呼出とを同時に行うことのできるリアルタイム採血が可能となる。
【００１４】
本発明の請求項２の採血方法にあっては、採血作業者が採血情報ディスプレイから採血管発行のボタンを押して発行要求をした場合に、始めて採血管準備装置が採血管の準備を開始するようになっている。採血管準備装置は、採血受付装置で受け付けられた患者のうちの未発行データの先頭の患者ＩＤを受け取り、電子カルテシステムのデータベースへ当該患者に関する採血情報が有るか否かを問い合わせする。そして、採血情報があればその情報を入手して採血管を選択し、患者情報や採血指示情報をラベルへ印字し、印字したラベルを選択された採血管へ貼着し、ラベル貼着後の採血管をトレイへ排出するようになっている。
【００１５】
また採血情報ディスプレイ側では、採血作業者からの採血管発行の要求と同時に、患者の呼出表示装置へ採血受付装置から得られた患者ＩＤに相当する患者の呼出表示を行わせる。
採血作業者は、採血管準備装置で発行されたばかりのトレイを取り出して、トレイ又は採血管ラベルの患者ＩＤ若しくは採血指示書の患者ＩＤと、到着した患者のＩＤと照合し、一致していれば採血を行うようにしている。
【００１６】
このようにこの請求項２の発明にあっては、採血作業者からの採血管発行の要求があって初めて採血管準備装置が一人分の採血管の発行準備動作を開始するようにしているので、リアルタイムで採血管の発行と、患者の呼出と、採血の実施とを行うことができ、患者における待ち時間の相違による不公平がなくなる。
また採血管準備装置で発行された採血管の入ったトレイが多数ストックされることはなく、採血管を取り出した場合であっても戻すときにトレイを間違うということはありえない。
【００１７】
請求項３の発明は、請求項２の方法の発明を実現するシステムの発明である。本発明では、採血管準備装置の左右両側に採血作業台を設置するだけでよく、しかもこの採血作業台は机であってもよい。
【図面の簡単な説明】
【００１８】
【図１】本発明の第一の実施の形態に係るものであり、採血管準備装置と採血台とを示す正面図である。
【図２】本発明の第一の実施の形態に係るものであり、採血管準備装置の右側面図である。
【図３】本発明の第一の実施の形態に係るものであり、採血管準備装置と採血台とを示す背面図である。
【図４】本発明の第一の実施の形態に係るものであり、システム全体の構成図である。
【図５】本発明の第二の実施の形態に係るものであり、採血管準備装置と採血台とを示す正面図である。
【図６】本発明の第三の実施の形態に係るものであり、採血管準備装置と採血台とを示す正面図である。
【発明を実施するための形態】
【００１９】
以下に、本発明の構成を図１乃至図３に示す第一の実施の形態に基づいて説明すると次の通りである。同図に示す如く、この実施の形態にあっては、採血管準備装置１の両サイドに採血台２Ａ及び２Ｂを配設している。なお、採血作業台２Ａ，２Ｂは、長机の中央に採血管準備装置１を設置することで、その両脇に作業台が構成されるものであってもよい。採血管準備装置１は、本体下部側に１００本入りの採血管ストッカが八個内蔵されており（図示せず）、本体中間部の手前側にはトレイの取出し部３が形成されており、本体の後部側上部にはラベルの印字装置及びラベルの貼着装置が内蔵されている（図示せず）。本体下部の各ストッカから切り出された採血管は一旦背面側へ送られ、昇降機構により本体上部のラベル貼着装置まで搬送され、ラベル貼着後に本体中間部のトレイ取出し部３に準備されたトレイ４へ落下供給されるようになっている。
【００２０】
また採血管準備装置１の本体上部側の正面において、左右側面寄りの位置には採血情報ディスプレイ５Ａ，５Ｂが自在継ぎ手を介して角度調節が自在なように取り付けられている。
更に、採血管準備装置１の上端面で背面側には、待合室側へ向けられた呼出表示装置６が取り付けられている。
【００２１】
図４は、第一の実施の形態におけるシステム全体の構成図である。同図に示す如く、ＨＩＳ（Hospital Information System）やＬＩＳ（Laboratory Information System）等の病院システムにおける電子カルテのデータベース７に制御装置８が接続されている。制御装置８には、表示装置端末（ＣＰＵ）９と、受付端末(ＣＰＵ)１０と、二つの採血管準備装置端末（ＣＰＵ）１３及び１４と、二つの採血台端末（ＣＰＵ）１５及び１６とが接続されている。
また表示装置端末９には外待合室等に配設された大型の患者呼出表示装置１０が接続されており、受付端末１１には採血受付装置１２が接続されている。更に、採血管準備装置端末１３及び１４には、それぞれ図１乃至図３に示す採血管準備装置１が接続されており、採血台端末１５及び１６には、それぞれ図１乃至図３に示す患者呼出表示装置６と、採血情報ディスプレイ５Ａ，５Ｂが接続されている。なお、前記採血管準備装置端末１３と採血台端末１５とは、一つの端末（採血管準備装置端末１３）で兼用するようにしてもよい。この構成は、端末１４と端末１６の場合も同じである。
【００２２】
次に、図１乃至図４を参照して第一の実施形態の動作態様について説明する。採血作業者は、採血管準備装置１の各採血台２Ａ，２Ｂに一人ずつが配置されており、一台の採血管準備装置１に対して二人の採血作業者で採血作業を行うようになっている。図４に示すように、本実施の形態では、二台の採血管準備装置１，１が配設されているので、合計四人の採血作業者が採血を行うものである。採血作業者は、各採血台２Ａ，２Ｂから採血情報ディスプレイ５Ａ，５Ｂのタッチスイッチを押し、必要な操作を行うようにしている。その場合に、自分の見やすい角度になるように、向きを変更できるようになっている。
【００２３】
患者が医師の診察を受けると、その結果及び採血検査や尿検査等の検査指示情報が電子カルテ７のデータベースに登録される。そして、患者が採血室へ行き、採血受付装置１２に診察券等の患者ＩＤを読み込ませると、その情報が制御装置８へ出力される。採血受付が沢山あると、その情報は制御装置８にバッファされる。また制御装置８は、バッファされている患者ＩＤに基づいて、電子カルテ７のデータベースから当該患者に検査指示が出されている採血検査情報をダウンロードし、患者ＩＤと紐付けしてそのデータを蓄積しておく。
【００２４】
このような状態から、二台の採血管準備装置１，１に角度調節自在に取り付けられた各二台（合計四台）の採血情報ディスプレイ５Ａ，５Ｂと、５Ａ，５Ｂのいずれかから、採血作業者がタッチスイッチ等を操作して採血管の発行要求を行うと、制御装置８は最も先に採血受付がなされた未発行の患者のＩＤと、これに紐付けされた採血検査情報を当該採血管の発行要求をした採血情報ディスプレイ５Ａ，５Ｂが取り付けられている採血管準備装置１に対して出力する。
また採血情報ディスプレイ５Ａ，５Ｂの端末１５，１６は、前記採血管の発行要求と同時に又は所定時間経過後（発行要求から実際に採血管が準備されるまでに要する時間等）に、患者呼出表示装置６に制御装置８から受信した患者呼出番号を表示し、当該患者を呼び出すようにしている。
【００２５】
採血管準備装置１は、制御装置８から送信されてきた採血検査情報に基づいて採血管を選択してピックアップし、ラベルに患者ＩＤや採血検査情報を印字し、印字したラベルをピックアップした採血管へ貼着してトレイ４へ排出する。
採血作業者は、採血管が投入されたばかりのトレイ４を取出し、トレイ４内の採血管のＩＤと、到着した患者のＩＤとが一致しているかを照合する。これらのＩＤの確認は、採血管側にあっては、トレイ４のＩＤ又は採血管に貼着されたラベルの患者ＩＤ、採血指示ラベルの患者ＩＤ等に基づいて行えばよく、患者側にあっては、患者の診察券やリストバンド又は採血受付票に付されている患者ＩＤ等に基づいて行えばよい。
【００２６】
このように、本システムでは、採血管準備装置１の採血情報ディスプレイ５Ａ，５Ｂのいずれかから採血管の発行要求があった場合に、採血管をトレイへ準備すると共に患者を呼び出し、準備したばかりのトレイの採血管に基づいて当該患者の採血を行うので、受付順番通りの採血が行え、後に受け付けをした患者が別の採血管準備装置１で先に採血を行うというような順番待ちに関する不公平がない。
【００２７】
図５は、本発明外の実施の形態に係るものである。この実施の形態では、患者の呼出表示装置６を天井１７へ取り付け、また採血情報ディスプレイ５Ａ，５Ｂを採血台２Ａ，２Ｂに取り付けている。その他の構成並びに作業効果は、前記第一の実施の形態の場合と同じである。
【００２８】
図６は、本発明外の別の実施の形態に係るものである。この実施の形態も、採血情報ディスプレイ５Ａ，５Ｂを採血台２Ａ，２Ｂに取り付けている。また採血管準備装置１は、ラベル貼着後の採血管を装置の左右いずれの方向へも排出することができるようになされている。同図には、左右へ排出するベルトコンベア等の装置が図示されている。採血台２Ａ，２Ｂの各採血作業者は、ディスプレイ５Ａ，５Ｂから採血管の発行要求をした場合に、当該採血台２Ａ，２Ｂ側の採血管準備装置1寄りにトレイ４を置いておくだけで、当該トレイ４へ採血管が排出される。
その他の構成並びに作用効果は、前記第一の実施の形態の場合と同じである。
【産業上の利用可能性】
【００２９】
ところで、本発明は、上述の実施の形態に限定されるものではなく、適宜の変更が可能である。例えば、採血受付票をＲＦＩＤとし、採血室入口に前記ＲＦＩＤを読み取るためのゲートを設け、採血患者がゲートを通過することにより、自動的に患者の在室及び不在状況を把握するようにし、不在であることがわかっていれば不在者登録をして採血情報ディスプレイ５Ａ，５Ｂに表示し、患者呼出表示装置６で呼出を行わないようにすることも可能である。
また患者が採血台２Ａ，２Ｂまで来たが、体調不良等の理由で採血できなかった場合は、保留表示を行うようにするようにしてもよい。
【００３０】
更に、採血作業者からの採血管発行の要求は、採血情報ディスプレイ５Ａ，５Ｂのタッチスイッチを操作して行う場合を説明したが、専用のボタンやスイッチ等を設けるようにしてもよい。
更にまた、採血管発行時には、発行された採血管の発行要求元がわかるように採血管準備装置１又はディスプレイ５Ａ，５Ｂの要求した側にランプ表示やディスプレイ５Ａ，５Ｂの画面上に文字等で点滅表示等をするようにしてもよい。
【００３１】
更に、採血管はトレイへ準備する場合を説明したが、トレイの使用を廃止し、採血管準備装置１又は採血作業台等に排出された採血管を受け取るための固定の受皿を設ける等のことも可能である。
【符号の説明】
【００３２】
１…採血管準備装置
２Ａ，２Ｂ…採血台
３…トレイ取出し部
４…トレイ
５Ａ，５Ｂ…採血情報ディスプレイ
６…患者呼出表示装置
７…電子カルテ
【図１】
0005930391.tif 000002
【図２】
0005930391.tif 000003
【図３】
0005930391.tif 000004
【図４】
0005930391.tif 000005
【図５】
0005930391.tif 000006
【図６】
0005930391.tif 000007